(57)【要約】【課題】医用レポートへの医用画像の貼り付け作業の簡略化が可能な医用レポート作成装置、及び医用画像診断装置を提供する。【解決手段】実施形態の医用レポート作成装置は、指定受付部と、配置処理部と、医用レポート作成部とを含み、医用画像が配置される画像配置領域を有する医用レポートを作成する。指定受付部は、医用画像取得部により取得された１又は複数の医用画像のうち、所望の医用画像の指定を受け付ける。配置処理部は、所望の医用画像の指定の順序に対応した画像配置領域内における所望の医用画像の配置位置を決定する。医用レポート作成部は、配置処理部によって決定された配置位置に所望の医用画像を配置することにより、医用レポートを作成する。【選択図】図１
2015033570.tif 000002
【特許請求の範囲】
【請求項１】
医用画像が配置される画像配置領域を有する医用レポートを作成する医用レポート作成装置であって、
医用画像取得部により取得された１又は複数の医用画像のうち、所望の医用画像の指定を受け付ける指定受付部と、
前記所望の医用画像の前記指定の順序に対応した前記画像配置領域内における前記所望の医用画像の配置位置を決定する配置処理部と、
前記配置処理部によって決定された前記配置位置に前記所望の医用画像を配置することにより、前記医用レポートを作成する医用レポート作成部とを含むことを特徴とする医用レポート作成装置。
【請求項２】
前記所望の医用画像の指定が前記指定受付部によって受け付けられたとき、前記所望の医用画像が予め設定された条件に合致するか否かを判定する判定部を含み、
前記判定部によって前記所望の医用画像が前記予め設定された条件に合致すると判定されたとき、前記配置処理部は、前記所望の医用画像の前記指定の順序に対応した前記画像配置領域内における前記所望の医用画像の配置位置を決定することを特徴とする請求項１に記載の医用レポート作成装置。
【請求項３】
前記所望の医用画像の指定が前記指定受付部によって受け付けられたとき、前記所望の医用画像が予め設定された条件に合致するか否かを判定する判定部を含み、
前記判定部によって前記所望の医用画像が前記予め設定された条件に合致すると判定されたとき、前記配置処理部は、前記条件に対応付けられた前記画像配置領域内における前記所望の医用画像の配置位置を決定することを特徴とする請求項１に記載の医用レポート作成装置。
【請求項４】
医用画像は、複数種類のオブジェクトのうち少なくとも１つのオブジェクトを含み、
前記条件は、
医用画像が予め登録されたオブジェクトを含むことであることを特徴とする請求項３に記載の医用レポート作成装置。
【請求項５】
前記オブジェクトは、ボディーマーク、アノテーション、及び計測ラベルの少なくとも１つを含むことを特徴とする請求項４に記載の医用レポート作成装置。
【請求項６】
新たな医用画像の配置位置に既に医用画像が配置されている場合に、前記新たな医用画像の指定が前記指定受付部によって受け付けられたとき、前記医用レポート作成部は、前記既に配置された医用画像に置き換えて前記新たな医用画像を配置することを特徴とする請求項３に記載の医用レポート作成装置。
【請求項７】
前記医用レポート作成部は、当該配置位置において前記既に配置された医用画像をリンク付けることを特徴とする請求項６に記載の医用レポート作成装置。
【請求項８】
前記新たな医用画像の配置位置に既に医用画像が配置されていることを報知する報知部を含むことを特徴とする請求項６に記載の医用レポート作成装置。
【請求項９】
前記所望の医用画像の指定が前記指定受付部によって受け付けられたとき、前記所望の医用画像が保存される記憶部を含むことを特徴とする請求項１に記載の医用レポート作成装置。
【請求項１０】
前記医用レポート作成部は、前記所望の医用画像の貼り付け指示を受け付ける貼り付け指示部からの貼り付け指示を受けて、前記配置処理部によって決定された前記配置位置に前記所望の医用画像を配置することにより、前記医用レポートを作成することを特徴とする請求項１に記載の医用レポート作成装置。
【請求項１１】
医用画像が配置される画像配置領域を有する医用レポートを作成する医用レポート作成装置であって、
医用画像取得部により取得された１又は複数の医用画像のうち、所望の医用画像の指定を受け付ける指定受付部と、
前記指定受付部によって受け付けられた前記所望の医用画像について、その医用画像の種類に対応した前記画像配置領域内における前記所望の医用画像の配置位置を決定する配置処理部と、
前記配置処理部によって決定された前記配置位置に前記所望の医用画像を配置することにより、前記医用レポートを作成する医用レポート作成部とを含むことを特徴とする医用レポート作成装置。
【請求項１２】
前記医用画像は、超音波画像であり、
前記医用画像の種類は、超音波画像の取得部位によって定義されることを特徴とする請求項１１に記載の医用レポート作成装置。
【請求項１３】
前記医用画像の種類は、さらに、前記超音波画像の取得方向によって定義されることを特徴とする請求項１２に記載の医用レポート作成装置。
【請求項１４】
所望の医用画像を受け付けるための指定部と、
前記医用画像取得部と、
請求項１〜請求項１３のいずれか一項に記載の医用レポート作成装置とを含むことを特徴とする医用画像診断装置。
【発明の詳細な説明】
【技術分野】
【０００１】
本発明の実施形態は、医用レポート作成装置、及び医用画像診断装置に関する。
【背景技術】
【０００２】
医用画像取得部により取得された医用画像を医師などが読影した結果から医用レポートを作成するための医用レポート作成装置は、既に実用化されている。医用レポート作成装置は、被検体や検査内容に関する情報を医師などに入力させることにより、医用レポートを作成することができる。また、医用レポート作成装置は、所見記入欄に医用画像についての所見を医師などに入力させたり、診断記入欄に医用画像の所見に基づく診断結果を医師などに入力させたりすることにより、医用レポートを作成することができる。
【０００３】
更に、医用レポート作成装置は、所定の画像貼り付け欄に必要な医用画像を医師などに貼り付けさせることにより、医用レポートを作成することができる。このとき、医師などは、表示部に表示させた医用レポート作成画面上において、所望の位置に所望の医用画像を手動で貼り付けていた。
【先行技術文献】
【特許文献】
【０００４】
【特許文献１】特開２００５−３０１４５３号公報
【発明の概要】
【発明が解決しようとする課題】
【０００５】
しかしながら、検査が行われるたびに、医用画像取得部により複数の医用画像が取得されるため、医師などは、その都度、医用レポートの所定の画像貼り付け欄に医用画像を手動で貼り付ける必要があった。従って、医用レポートの作成には、多大な時間と手間がかかっていた。
【０００６】
本発明が解決しようとする課題は、医用レポートへの医用画像の貼り付け作業の簡略化が可能な医用レポート作成装置、及び医用画像診断装置を提供することである。
【課題を解決するための手段】
【０００７】
実施形態の医用レポート作成装置は、指定受付部と、配置処理部と、医用レポート作成部とを含み、医用画像が配置される画像配置領域を有する医用レポートを作成する。指定受付部は、医用画像取得部により取得された１又は複数の医用画像のうち部所望の医用画像の指定を受け付ける。配置処理部は、前記所望の医用画像の前記指定の順序に対応した画像配置領域内における所望の医用画像の配置位置を決定する。医用レポート作成部は、配置処理部によって決定された配置位置に所望の医用画像を配置することにより、医用レポートを作成する。
また、実施形態の医用レポート作成装置は、指定受付部と、配置処理部と、医用レポート作成部とを含み、医用画像が配置される画像配置領域を有する医用レポートを作成する。指定受付部は、医用画像取得部により取得された１又は複数の医用画像のうち、所望の医用画像の指定を受け付ける。配置処理部は、指定受付部によって受け付けられた所望の医用画像について、その医用画像の種類に対応した画像配置領域内における所望の医用画像の配置位置を決定する。医用レポート作成部は、配置処理部によって決定された配置位置に所望の医用画像を配置することにより、医用レポートを作成する。
実施形態の医用画像診断装置は、指定部と、医用画像取得部と、上記の医用レポート作成装置とを含む。
【図面の簡単な説明】
【０００８】
【図１】第１実施形態における医用画像診断装置の概略構成のブロック図。
【図２】第１実施形態における超音波画像生成部の構成例のブロック図。
【図３】第１実施形態における操作部の構成例の機能ブロック図。
【図４】第１実施形態におけるレポート表示処理部の構成例のブロック図。
【図５】第１実施形態における医用レポート作成画面の一例を示す図。
【図６】第１実施形態における医用画像処理部による医用レポートへの超音波画像の配置処理例のフロー図。
【図７Ａ】第１実施形態における医用画像診断装置の動作例のシーケンス図。
【図７Ｂ】第１実施形態における医用画像診断装置の動作例のシーケンス図。
【図７Ｃ】第１実施形態の第１変形例における医用画像診断装置の動作例のシーケンス図。
【図８】第１実施形態の第２変形例における操作部の構成例の機能ブロック図。
【図９】第２実施形態におけるレポート表示処理部の構成例のブロック図。
【図１０】第２実施形態における条件設定部に設定される条件の一例を示す図。
【図１１】第２実施形態における医用画像処理部による医用レポートへの超音波画像の配置処理例のフロー図。
【図１２】第３実施形態における条件設定部に設定される条件の一例を示す図。
【図１３】第３実施形態における医用レポート作成画面の医用レポート表示領域を模式的に示す図。
【図１４】第３実施形態における医用画像処理部による医用レポートへの超音波画像の配置処理例のフロー図。
【図１５】第３実施形態の第１変形例のレポート表示処理部の構成例のブロック図。
【図１６】第３実施形態の第１変形例の医用画像処理部による医用レポートへの超音波画像の配置処理例のフロー図。
【図１７】第３実施形態の第２変形例の医用画像処理部による医用レポートへの超音波画像の配置処理例のフロー図。
【発明を実施するための形態】
【０００９】
以下、図面を参照しながら実施形態を説明する。
【００１０】
［第１実施形態］
（医用画像診断装置）
第１実施形態における医用画像診断装置は、たとえば、超音波診断装置、Ｘ線撮影装置、Ｘ線コンピュータ断層撮影（Ｃｏｍｐｕｔｅｄ  Ｔｏｍｏｇｒａｐｈｙ：ＣＴ）装置、磁気共鳴（Ｍａｇｎｅｔｉｃ  Ｒｅｓｏｎａｎｃｅ：ＭＲ）装置又は内視鏡装置などが該当する。以下では、一例として、医用画像診断装置が超音波診断装置である場合について説明する。すなわち、超音波画像を医用画像の一例として説明する。なお、「画像」と「画像データ」は一対一に対応するので、以下では、これらを同一視する場合がある。同様に、「医用レポート」と「医用レポートデータ」は一対一に対応するので、以下では、これらを同一視する場合がある。
【００１１】
図１に、第１実施形態における医用画像診断装置の概略構成のブロック図を示す。医用画像診断装置１は、超音波プローブ２と、超音波画像生成部３と、データベース部４と、操作部５と、表示部６と、医用画像処理部１０とを含んで構成されている。
【００１２】
（超音波プローブ）
超音波プローブ２には、複数の超音波振動子が走査方向に１列に配置された１次元アレイプローブ、又は複数の超音波振動子が２次元的に配置された２次元アレイプローブが用いられる。また、走査方向に１列に配置された複数の超音波振動子を、走査方向に直交する揺動方向に揺動させる機械式１次元アレイプローブを用いてもよい。超音波プローブ２は被検体に超音波を送信し、被検体からの反射波を電気信号に変換してエコー信号として受信する。
【００１３】
（超音波画像生成部）
図２に、第１実施形態における超音波画像生成部３の構成例のブロック図を示す。超音波画像生成部３は、送信部３１と、受信部３２と、信号処理部３３と、画像生成部３４とを含んで構成されている。
【００１４】
送信部３１は、超音波プローブ２に電気信号を供給して所定の焦点にビームフォームした（つまり送信ビームフォームした）超音波を送信させる。
【００１５】
受信部３２は、超音波プローブ２によって受信されたエコー信号を受信し、そのエコー信号に対して遅延処理を行うことにより、アナログのエコー信号を整相された（つまり受信ビームフォームされた）デジタルのデータに変換する。受信部３２は、たとえば、図示しないプリアンプ回路と、Ａ／Ｄ変換器と、受信遅延回路と、加算器とを備えることができる。プリアンプ回路は、超音波プローブ２の各超音波振動子から出力されるエコー信号を受信チャンネルごとに増幅する。Ａ／Ｄ変換器は、増幅されたエコー信号をデジタル信号に変換する。受信遅延回路は、デジタル信号に変換されたエコー信号に、受信指向性を決定するために必要な遅延時間を与える。加算器は、遅延時間が与えられたエコー信号を加算する。その加算によって、受信指向性に応じた方向からの反射成分が強調される。受信部３２から出力される受信信号は、信号処理部３３に出力される。
【００１６】
信号処理部３３は、Ｂモード処理部を含んで構成されている。Ｂモード処理部は、受信信号を受信部３２から受けて、受信信号の振幅情報の映像化を行う。具体的には、Ｂモード処理部は、受信信号に対してバンドパスフィルタ処理を行い、その後、出力信号の包絡線を検波し、検波されたデータに対して対数変換による圧縮処理を施す。
【００１７】
信号処理部３３は、ＣＦＭ（Ｃｏｌｏｒ  Ｆｌｏｗ  Ｍａｐｐｉｎｇ）処理部を有していてもよい。ＣＦＭ処理部は、血流情報の映像化を行う。血流情報には、速度、分布、又はパワーなどの情報があり、血流情報は２値化情報として得られる。
【００１８】
信号処理部３３は、ドプラ処理部を有していてもよい。ドプラ処理部は、受信信号を位相検波することによりドプラ偏移周波数成分を取り出し、ＦＦＴ（Ｆａｓｔ  Ｆｏｕｒｉｅｒ  Ｔｒａｎｓｆｏｒｍ）処理を施すことにより血流速度を表すドプラ周波数分布を生成する。
【００１９】
信号処理部３３は、信号処理が施された受信信号（超音波ラスタデータ）を画像生成部３４に出力する。
【００２０】
画像生成部３４は、信号処理部３３から出力された信号処理後の受信信号（超音波ラスタデータ）に基づいて超音波画像データを生成する。画像生成部３４は、たとえばＤＳＣ（Ｄｉｇｉｔａｌ  Ｓｃａｎ  Ｃｏｎｖｅｒｔｅｒ：デジタルスキャンコンバータ）を有する。画像生成部３４は、走査線の信号列で表される信号処理後の受信信号を、直交座標系で表される画像データに変換する（スキャンコンバージョン処理）。たとえば、画像生成部３４は、Ｂモード処理部によって信号処理が施された受信信号にスキャンコンバージョン処理を施すことにより、被検体の組織の形態を表すＢモード画像データを生成する。画像生成部３４は、超音波画像データを医用画像処理部１０に出力する。
【００２１】
超音波プローブ２、及び超音波画像生成部３は、この実施形態に係る「医用画像取得部」の一例に相当する。
【００２２】
（データベース部）
図１に示すデータベース部４には、超音波プローブ２において受信されたエコー信号に基づいて生成された医用画像としての超音波画像が保存される。データベース部４に保存される超音波画像には、アノテーションやボディーマークやプローブマークなどの診断情報が付与されてもよい。データベース部４は、この実施形態に係る「記憶部」の一例に相当する。
【００２３】
（操作部）
操作部５は、医師などのユーザによる操作を受けて、この操作内容に応じた操作情報を医用画像処理部１０に入力する。操作部５は、ジョイスティックやトラックボールなどのポインティングデバイス、操作スイッチ、操作ボタン、操作つまみ、又はキーボードなどにより構成されている。また、操作部５は、ネットワークやメディアを介して信号や情報の入力を受ける機能を有していてもよい。
【００２４】
図３に、第１実施形態における操作部５を機能ブロック化した構成例を示す。操作部５は、フリーズ指示部５１と、計測指示部５２と、アノテーション入力部５３と、ボディーマーク入力部５４と、画像保存指定部５５と、レポート表示指示部５６とを含んで構成されている。フリーズ指示部５１、計測指示部５２、アノテーション入力部５３、ボディーマーク入力部５４、画像保存指定部５５、及びレポート表示指示部５６のそれぞれは、ポインティングデバイス、操作スイッチ、操作ボタン、操作つまみ、又はキーボードのいずれかにより構成される。
【００２５】
フリーズ指示部５１は、超音波プローブ２の停止状態から超音波走査可能状態への移行や、表示部６にリアルタイムに表示される超音波画像の静止及び図示しない記憶部への一時的な保存を、ユーザが指示するために用いられる。計測指示部５２は、超音波を用いた被検体の内部の計測開始をユーザが指示するために用いられる。アノテーション入力部５３は、超音波画像に重畳させて表示させるアノテーションをユーザが入力するために用いられる。アノテーションは、注釈やコメントなどの文字列であり、たとえば、ＭＲ（僧帽弁逆流）やＭＳ（僧帽弁狭窄）やＡＳＤ（心房中隔欠損）のような文字列がある。ボディーマーク入力部５４は、超音波画像に重畳させて表示させるボディーマークをユーザが入力するために用いられる。ボディーマークは、被検体における超音波走査面の位置や向きを示す図形である。
【００２６】
画像保存指定部５５は、超音波プローブ２において受信されたエコー信号に基づいて生成された超音波画像のうち、データベース部４に保存される超音波画像を１つずつユーザが指定するために用いられる。画像保存指定部５５により指定された超音波画像は、必要に応じてアノテーションやボディーマークなどの関連する診断情報（付帯情報）と共にデータベース部４に保存される。また、画像保存指定部５５により指定された超音波画像は、後述するように、アノテーションやボディーマークなどの関連する診断情報と共に、医用レポートに設けられた画像配置領域内に配置される。
【００２７】
医用レポートの画像配置領域内の画像の配置は、画像の貼り付け、又は画像のリンク付けにより実現される。画像の貼り付けは、貼り付け対象の画像（画像データ）を画像配置領域内の配置位置（医用レポートのレイアウト情報）に関連付けることにより行われる。たとえば、図示しない記憶部に、配置位置に対応付けられた記憶領域を割り当て、貼り付け対象の画像の画像データが配置位置に対応した記憶領域に格納される。画像のリンク付けは、貼り付け対象の画像（画像データ）を参照するためのアドレス情報を画像配置領域内の配置位置に関連付けることにより行われる。たとえば、図示しない記憶部に、配置位置に対応付けられた記憶領域を割り当て、貼り付け対象の画像の画像データを参照するためのアドレス情報が配置位置に対応した記憶領域に格納される。このとき、当該配置位置において画像がリンクされていることを示すリンク文字列に、アドレス情報がハイパーリンク形式で関連付けられる。ハイパーリンクが設定されたリンク対応範囲の文字列は、色が変更され、且つ、下線が付されて識別表示される。画像保存指定部５５は、この実施形態に係る「指定部」の一例に相当する。
【００２８】
レポート表示指示部５６は、後述するレポート表示処理部１０６による表示部６への医用レポートの表示をユーザが指示するために用いられる。
【００２９】
これらの操作部５を介したユーザの操作内容は、医用画像処理部１０における制御部１０８において判別される。
【００３０】
（表示部）
表示部６は、液晶ディスプレイなどの表示装置により構成されている。表示部６は、超音波画像や医用レポートなどの各種画像やその他各種情報を表示する。表示部６は、この実施形態に係る「表示部」の一例に相当する。
【００３１】
なお、図１では、超音波画像生成部３、データベース部４、操作部５、及び表示部６のそれぞれは、医用画像診断装置１の一部を構成しているが、超音波画像生成部３、データベース部４、操作部５、及び表示部６の少なくとも一部は、医用画像処理部１０の内部に設けられていてもよい。また、データベース部４、操作部５、及び表示部６の少なくとも一部が、医用画像診断装置１の外部に設けられ、医用画像診断装置１への接続が可能に構成されたものであってもよい。
【００３２】
（医用画像処理部）
医用画像処理部１０は、医用画像診断装置１の各部の動作を制御する。たとえば、医用画像処理部１０は、超音波プローブ２に対する超音波の送受信を制御し、超音波プローブ２において受信されたエコー信号に基づいて超音波画像を生成する。また、医用画像処理部１０は、データベース部４に対する超音波画像の保存処理や読み出し処理を行う。更に、医用画像処理部１０は、操作部５を介したユーザによる操作を受けて、ユーザの操作内容に応じて、医用画像診断装置１の各部の動作を制御する。更にまた、医用画像処理部１０は、医用レポートの作成処理や、生成された超音波画像や医用レポートなどを表示部６に表示させる制御を行う。
【００３３】
医用画像処理部１０は、超音波画像収集部１０１と、表示処理部１０２と、画像保存処理部１０３と、図形表示処理部１０４と、計測処理部１０５と、レポート表示処理部１０６と、プリセット記憶部１０７と、制御部１０８とを含んで構成されている。
【００３４】
（超音波画像収集部）
超音波画像収集部１０１は、制御部１０８からの指示を受けて、超音波画像生成部３によって生成された超音波画像に対応する超音波画像データを収集し、表示処理部１０２や画像保存処理部１０３に出力する処理を行う。
【００３５】
（表示処理部）
表示処理部１０２は、超音波画像収集部１０１から超音波画像データを受けて、超音波画像データに基づく超音波画像を表示部６に表示させる。また、表示処理部１０２は、超音波画像以外の各種画像や画像以外の各種情報を、表示部６に表示させることもできる。具体的には、表示処理部１０２は、超音波画像とアノテーションやボディーマークなどの図形や計測結果とを重畳させて表示部６に表示させることができる。表示処理部１０２は、表示部６に画像を表示させる「表示制御部」の一例に相当する。
【００３６】
（画像保存処理部）
画像保存処理部１０３は、表示部６に表示された超音波画像（超音波画像データ）をデータベース部４に保存する保存処理を行う。画像保存処理部１０３は、表示部６に表示された１又は複数の超音波画像のうち画像保存指定部５５によってユーザにより指定された超音波画像とその診断情報とを、データベース部４に保存する。
【００３７】
（図形表示処理部）
図形表示処理部１０４は、アノテーション入力部５３によってユーザにより入力又は指定されたアノテーションやボディーマーク入力部５４によってユーザにより入力されたボディーマークなどのパターンデータを表示処理部１０２に出力する。表示処理部１０２は、超音波画像データとパターンデータとを合成することで、超音波画像にアノテーションなどの図形を重畳させて表示部６に表示させることができる。
【００３８】
なお、図形表示処理部１０４は、ユーザにより入力された文字列に対応したグラフィックデータをパターンデータとして生成し、生成されたパターンデータを表示処理部１０２に出力するようにしてもよい。或いは、図形表示処理部１０４は、複数種類のアノテーションやボディーマークやプローブマークのパターンデータが予め記憶されたグラフィックメモリを有し、ユーザにより入力又は指定されたアノテーションなどのパターンデータをグラフィックメモリから出力するようにしてもよい。
【００３９】
（計測処理部）
計測処理部１０５は、計測指示部５２によるユーザの計測開始の指示を受けて、予め設けられた複数種類の計測機能のうち、操作部５を介してユーザにより指定された計測機能を利用した計測処理を行う。複数種類の計測機能として、たとえば、臓器や病変部位の長さや面積や体積などを計測する機能や、超音波画像に描出された関心領域のサイズなどを計測する機能などがある。このような計測処理部１０５は、たとえば、フリーズ指示部５１によりユーザが静止させた超音波画像に対し、指定された計測処理を行うことができる。
【００４０】
（レポート表示処理部）
レポート表示処理部１０６は、医用レポートの作成処理や作成された医用レポートを表示処理部１０２により表示部６に表示させる処理を行う。レポート表示処理部１０６による処理は、ユーザにより指示されたときに起動される。このとき、レポート表示処理部１０６は、超音波画像上に重畳表示されないように表示処理部１０２により表示部６に医用レポートを表示させる。
【００４１】
図４に、第１実施形態におけるレポート表示処理部１０６の構成例のブロック図を示す。レポート表示処理部１０６は、配置処理部１０６１と、レポート作成部１０６２とを含んで構成されている。
【００４２】
配置処理部１０６１は、画像保存指定部５５によってユーザにより指定された超音波画像について、医用レポートに設けられた画像配置領域内における配置位置を決定する。第１実施形態では、画像配置領域内に予め設けられた複数の配置位置のそれぞれが、画像保存指定部５５による超音波画像の指定の順序に対応付けられている。配置処理部１０６１は、画像保存指定部５５によって指定された超音波画像について、その指定の順序に対応した配置位置を決定する。
【００４３】
レポート作成部１０６２は、画像保存指定部５５によって指定された超音波画像を、配置処理部１０６１によって決定された配置位置に配置することにより、当該超音波画像の読影結果に基づく医用レポートを作成する。このとき、レポート作成部１０６２は、表示処理部１０２により表示部６に医用レポート作成画面を表示させる。レポート作成部１０６２は、操作部５を介したユーザの操作入力に基づいて、レポート作成画面内の所定の記入領域への記入内容を受け付けると共に、医用レポート作成画面内の所定の画像配置領域内に、指定された超音波画像（必要に応じてその診断情報を含む）を配置することにより、医用レポートを作成する。
【００４４】
図５に、第１実施形態における医用レポート作成画面の一例を示す。図５に示す医用レポート作成画面Ｇ１は、超音波画像表示領域Ｇ２と、医用レポート表示領域Ｇ３とを含む。医用レポート表示領域Ｇ３は、更に、検査情報領域Ｇ３１と、所見情報領域Ｇ３２と、診断情報領域Ｇ３３と、画像配置領域Ｇ３４とを含む。
【００４５】
超音波画像表示領域Ｇ２には、フリーズ指示部５１によりユーザが必要と判断して静止させた１又は複数の超音波画像が配置される。各超音波画像は、図示しない記憶部に一時的に保存されたものであり、必要に応じて超音波画像に診断情報としてアノテーションやボディーマークや計測結果などの診断情報が付与されたものである。診断情報の付与は、超音波画像データに診断情報が関連付けられることにより行われたり、超音波画像に診断情報が重畳されて画像化されることにより行われたりする。以下では、超音波画像表示領域Ｇ２や画像配置領域Ｇ３４に配置される「超音波画像」は、必要に応じて上記のように超音波画像に診断情報が付与されたものを含むものとする。
【００４６】
検査情報領域Ｇ３１には、操作部５を介したユーザの操作入力によって、被検体の氏名や年齢や病歴や検査内容や検査条件などが記入され、医用レポートの検査情報として登録される。所見情報領域Ｇ３２には、操作部５を介したユーザの操作入力によって、医用画像についての所見が記入され、医用レポートの所見情報として登録される。診断情報領域Ｇ３３には、操作部５を介したユーザの操作入力によって、医用画像の所見に基づく診断結果が記入され、医用レポートの診断情報として登録される。
【００４７】
画像配置領域Ｇ３４には、超音波画像表示領域Ｇ２に表示された１又は複数の超音波画像のうち、画像保存指定部５５により指定された超音波画像の配置が可能に構成される。たとえば、超音波画像表示領域Ｇ２に表示された超音波画像ＵＧを画像保存指定部５５により指定することにより、画像配置領域Ｇ３４内への配置が可能となる。配置処理部１０６１により、画像保存指定部５５による超音波画像の指定の順序に対応した配置位置が予め決められている。配置処理部１０６１は、画像保存指定部５５による指定の順序が「１」（最初に指定）の超音波画像を配置位置Ｇ３４１に配置し、指定の順序が「２」（２番目に指定）の超音波画像を配置位置Ｇ３４２に配置する。同様に、配置処理部１０６１は、画像保存指定部５５による指定の順序が「３」（３番目に指定）の超音波画像を配置位置Ｇ３４３に配置し、指定の順序が「４」（４番目に指定）の超音波画像を配置位置Ｇ３４４に配置する。
【００４８】
上記のように、レポート作成部１０６２は、対応する計測処理部１０５による計測結果を付帯させた超音波画像を画像配置領域Ｇ３４内に配置することができる。医用レポート作成画面内の所定の記入領域への記入と所定の画像配置領域内への超音波画像などの配置とが終了すると、レポート作成部１０６２は、医用レポート作成画面を用いて作成された医用レポートの内容を医用レポートデータとして、図示しない記憶部又はデータベース部４に保存する。
【００４９】
配置処理部１０６１は、この実施形態に係る「配置処理部」の一例に相当し、レポート作成部１０６２は、この実施形態に係る「医用レポート作成部」の一例に相当する。
【００５０】
（プリセット記憶部）
プリセット記憶部１０７は、書き換え可能に構成された不揮発性の記憶手段により構成され、医用画像診断装置１が動作するための各種の初期情報を記憶する。医用画像診断装置１は、プリセット記憶部１０７に記憶された初期情報を起動時に読み出して、初期情報に従って動作するようになっている。初期情報には、図５に示す医用レポート作成画面を構成する各領域の種類や形状などを指定する情報が含まれる。このような初期情報は、操作部５を介してユーザによる変更が可能に構成される。
【００５１】
（制御部）
制御部１０８は、医用画像処理部１０の全体の制御を行う。制御部１０８は、操作部５を介したユーザの操作入力の内容を判断する入力判断処理を行い、判断された操作入力の内容に応じて、医用画像処理部１０の各部を制御する。制御部１０８は、この実施形態に係る「指定受付部」の一例に相当する。
【００５２】
以上のような構成を有する医用画像処理部１０の機能のうち、超音波画像収集部１０１、表示処理部１０２、画像保存処理部１０３、図形表示処理部１０４、計測処理部１０５、レポート表示処理部１０６、及び制御部１０８の機能は、コンピュータにより実現される。具体的には、医用画像処理部１０は、たとえば、処理装置と、記憶装置とを含んで構成されている。記憶装置には、医用画像処理部１０を構成する各部の機能を実現するためのプログラムが記憶される。処理装置は、記憶装置から上記プログラムを読み出し、プログラムに対応した処理を実行することで、医用画像処理部１０の各部の機能を実現する。このような処理装置として、たとえば、中央演算処理装置（Ｃｅｎｔｒａｌ  Ｐｒｏｃｅｓｓｉｎｇ  Ｕｎｉｔ：ＣＰＵ）、グラフィックス演算処理装置（Ｇｒａｐｈｉｃｓ  Ｐｒｏｃｅｓｓｉｎｇ  Ｕｎｉｔ：ＧＰＵ）、及び特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）の少なくとも１つが用いられる。
【００５３】
データベース部４、及び医用画像処理部１０は、この実施形態に係る「医用レポート作成装置」の一例に相当する。
【００５４】
図６に、第１実施形態における医用画像処理部１０による医用レポートへの超音波画像の配置処理例のフロー図を示す。ここでは、医用レポート作成画面Ｇ１が表示部６に表示され、その超音波画像表示領域Ｇ２内に、ユーザがフリーズ指示部５１により静止させた複数の超音波画像（必要に応じて診断情報を含む）が既に表示された状態であるものとする。
【００５５】
まず、医用画像処理部１０は、ユーザによって画像保存指定部５５により保存対象の超音波画像が指定されるまで待機する（ステップＳ１：Ｎ）。具体的には、制御部１０８は、ユーザによって画像保存指定部５５により超音波画像表示領域Ｇ２内の複数の超音波画像のいずれかが指定されるまで待機する。
【００５６】
画像保存指定部５５により超音波画像が指定されたとき（ステップＳ１：Ｙ）、医用画像処理部１０は、指定された超音波画像を取得する（ステップＳ２）。具体的には、制御部１０８によって画像保存指定部５５により超音波画像表示領域Ｇ２内の超音波画像が指定されたとき、画像保存処理部１０３は、表示処理部１０２から、超音波画像とこれに重畳して表示されるアノテーションやボディーマークなどの図形や計測結果とを含む画像を取得する。
【００５７】
次に、医用画像処理部１０は、ステップＳ２において取得された超音波画像などをデータベース部４に保存すると共に、これらをレポート表示処理部１０６に出力する（ステップＳ３）。具体的には、画像保存処理部１０３は、ステップＳ２において取得された超音波画像とこれに重畳して表示されるアノテーションやボディーマークなどの図形や計測結果とを含む画像をデータベース部４に保存すると共に、これらをレポート表示処理部１０６に出力する。
【００５８】
次に、医用画像処理部１０は、ステップＳ１における画像保存指定部５５による指定の順序に対応した医用レポートの画像配置領域内の配置位置に、ステップＳ３においてデータベース部４に保存された超音波画像などを配置する（ステップＳ４）。具体的には、レポート作成部１０６２は、画像保存指定部５５により超音波画像を指定した順序で、医用レポートの画像配置領域内に超音波画像とこれに関連するアノテーションなどを順番に配置することにより医用レポートを作成する。その後、医用画像処理部１０は、一連の処理を終了する（エンド）。
【００５９】
（動作例）
図７Ａ及び図７Ｂに、第１実施形態における医用画像診断装置１の動作例のシーケンス図を示す。図７Ａ及び図７Ｂは、医用画像診断装置１を構成する各ブロックの処理の流れを矢印と直交する鉛直方向に表すと共に、ブロック間の情報の流れを矢印方向に表す。なお、図７Ａ及び図７Ｂにおいて同一部分には同一符号を付し、図７Ｂに示す動作は、図７Ａに示す動作の後に行われるものとする。図７Ａ及び図７Ｂでは、超音波画像収集部については、図示が省略されている。
【００６０】
停止状態から超音波走査可能状態に移行された超音波プローブ２は、被検体からの反射波を電気信号に変換してエコー信号として受信する（ＳＱ１）。超音波プローブ２によって受信されたエコー信号は、超音波画像生成部３に出力される。
【００６１】
超音波画像生成部３は、超音波プローブ２によって受信されたエコー信号に基づいて超音波画像を生成する（ＳＱ２）。超音波画像生成部３によって生成された超音波画像の画像データは、超音波画像収集部１０１によって収集され、超音波画像収集部１０１は、収集した画像データを表示処理部１０２に出力する。
【００６２】
表示処理部１０２は、超音波画像収集部１０１によって収集された超音波画像を表示部６に表示させる（ＳＱ３）。このとき、超音波画像は、フリーズ指示部５１によってユーザが静止させた超音波画像であってもよいし、表示部６にリアルタイムに表示される画像であってもよい。
【００６３】
表示部６に表示された超音波画像を見たユーザは、計測指示部５２により計測開始を指示する。計測指示部５２により計測開始が指示される（ＳＱ４）と、制御部１０８は、計測指示部５２から操作内容に対応した操作情報を受け、操作情報に基づいて入力判断処理を行い（ＳＱ５）、ユーザから計測開始の指示を受けたことを判別する。そして、制御部１０８は、計測開始を指示するための制御信号を計測処理部１０５に対して出力する。
【００６４】
制御部１０８から計測開始を指示する制御信号を受けた計測処理部１０５は、予めユーザによって設定された内容の計測処理を行う（ＳＱ６）。計測処理部１０５によって行われた計測処理結果は、表示処理部１０２に出力される。
【００６５】
また、表示部６に表示された超音波画像を見たユーザは、アノテーション入力部５３によりアノテーションの入力又は指定を行う。アノテーション入力部５３によりアノテーションの入力又は指定が指示される（ＳＱ７）と、制御部１０８は、アノテーション入力部５３から操作内容に対応した操作情報を受け、操作情報に基づいて入力判断処理を行い（ＳＱ８）、ユーザからアノテーションの入力又は指定の指示を受けたことを判別する。そして、制御部１０８は、入力又は指定されたアノテーションのパターンデータを出力するための制御信号を図形表示処理部１０４に対して出力する。
【００６６】
制御部１０８からアノテーションのパターンデータを出力するための制御信号を受けた図形表示処理部１０４は、制御信号に基づいて、ユーザにより入力された文字列に対応したグラフィックデータをパターンデータとして生成したり、ユーザにより指定されたアノテーションに対応したパターンデータをグラフィックメモリから読み出したりする（ＳＱ９）。図形表示処理部１０４によって生成又は読み出されたパターンデータは、表示処理部１０２に出力される。
【００６７】
計測処理部１０５からの計測結果、及び図形表示処理部１０４からのパターンデータを受けた表示処理部１０２は、計測結果とパターンデータに対応したアノテーションとを超音波画像に重畳させて表示部６に表示させる（ＳＱ１０）。ＳＱ１０において表示部６に重畳表示させた超音波画像（計測結果及びアノテーションを含む）は、医用レポート作成画面の超音波画像表示領域Ｇ２内に表示される。
【００６８】
ここで、ユーザが、医用レポート作成画面の超音波画像表示領域Ｇ２内に表示される１又は複数の超音波画像のうち、所望の超音波画像（計測結果及びアノテーションを含む）について、画像保存指定部５５によりデータベース部４への保存と医用レポートへの配置とを指定するものとする。画像保存指定部５５により所望の超音波画像が指定される（ＳＱ１１）と、制御部１０８は、画像保存指定部５５から操作内容に対応した操作情報を受け、操作情報に基づいて入力判断処理を行い（ＳＱ１２）、ユーザから画像保存が指定されたことを判別する。そして、制御部１０８は、指定された超音波画像を保存するための制御信号を画像保存処理部１０３に対して出力する。
【００６９】
制御部１０８から超音波画像を保存するための制御信号を受けた画像保存処理部１０３は、制御信号に基づいて、表示処理部１０２に対し、表示部６の超音波画像表示領域Ｇ２に表示された複数の超音波画像うち所望の超音波画像の画像データの取得要求を行って、所望の超音波画像の画像データを取得する（ＳＱ１３）。図７Ｂの場合、重畳表示された画像は、超音波画像と計測結果とアノテーションとを含む。画像保存処理部１０３は、ＳＱ１３において取得された画像（画像データ）を、データベース部４に保存する（ＳＱ１４）。更に、画像保存処理部１０３は、取得された画像（画像データ）又はそのリンク情報をレポート表示処理部１０６に対して出力する。
【００７０】
レポート表示処理部１０６は、ＳＱ１３において取得された画像を医用レポートの画像配置領域内の配置位置に配置することにより医用レポートを作成する（ＳＱ１５）。ここで、ＳＱ１３において取得された画像は、画像保存指定部５５による指定の順序に対応した画像配置領域内の配置位置に配置される。画像保存処理部１０３から画像（画像データ）を受けた場合、レポート表示処理部１０６は、たとえば、配置位置に対応した格納領域に画像（画像データ）を格納することにより、配置位置に画像を関連付けた状態で画像の配置を行う。画像保存処理部１０３から画像のリンク情報を受けた場合、レポート表示処理部１０６は、リンク情報に基づいて配置位置に画像をリンク付けることにより、画像の配置を行う。この結果、ＳＱ１５では、図５の医用レポート表示領域Ｇ３に表示された各領域内のデータを含む医用レポートデータが作成される。
【００７１】
次に、ユーザが、ＳＱ１５において作成された医用レポートを表示部６に表示させるために、レポート表示指示部５６により指示するものとする。レポート表示指示部５６により医用レポートの表示が指示される（ＳＱ１６）と、制御部１０８は、レポート表示指示部５６から操作内容に対応した操作情報を受け、操作情報に基づいて入力判断処理を行い（ＳＱ１７）、ユーザから医用レポートの表示が指示されたことを判別する。そして、制御部１０８は、医用レポートを表示するための制御信号をレポート表示処理部１０６に対して出力する。
【００７２】
制御部１０８から医用レポートを表示するための制御信号を受けたレポート表示処理部１０６は、ＳＱ１５において作成された医用レポートデータを表示処理部１０２に出力し、表示処理部１０２が、医用レポートを表示部６に表示させる（ＳＱ１８）。
【００７３】
なお、図７Ａ及び図７Ｂにおいてユーザがアノテーションの入力指示を行う場合について説明したが、ユーザがボディーマークの入力指示を行う場合も同様である。
【００７４】
以上のように、第１実施形態における医用画像診断装置１は、画像保存指定部５５によりユーザが保存指定した順序に対応した画像配置領域内の配置位置に、指定された超音波画像を順番に配置することにより医用レポートを作成する。そのため、ユーザは超音波画像を手動で貼り付けるという作業から解放され、医用レポートへの超音波画像の貼り付け作業の簡略化により、検査時間の短縮化が可能となる。
【００７５】
たとえば、超音波画像の取得と医用レポートの作成とが同一ユーザにより行われる場合、どのタイミングで超音波画像を静止させたかを記憶していることが多い。従って、超音波画像を指定した順序で医用レポートに貼り付けることは、作業の大幅な簡略化に寄与することができる。
【００７６】
［第１実施形態の第１変形例］
第１実施形態では、画像保存指定部５５により超音波画像の保存及び医用レポートへの配置を指定することにより医用レポートを作成する場合について説明したが、第１実施形態は、これに限定されるものではない。第１実施形態の第１変形例では、医用レポート表示後に、貼り付け指示部からの指示を受けて、表示された医用レポートに画像を貼り付けることにより医用レポートが新たに作成される。以下、第１実施形態の第１変形例について、第１実施形態との相違点を中心に説明する。
【００７７】
第１実施形態の第１変形例では、画像保存指定部５５は、所望の超音波画像の保存を指定するために用いられる。配置処理部１０６１は、画像保存指定部５５によってユーザにより指定された超音波画像について、医用レポートに設けられた画像配置領域内における配置位置を決定する。また、操作部５は、所望の超音波画像の貼り付け指示を受け付ける貼り付け指示部を更に含んで構成される。レポート作成部１０６２は、貼り付け指示部からの貼り付け指示を受けて、配置処理部１０６１によって決定された配置位置に所望の医用画像を配置することにより、医用レポートを作成する。
【００７８】
図７Ｃに、第１実施形態の第１変形例における医用画像診断装置１の動作例の一部のシーケンス図を示す。図７Ｃは、医用画像診断装置１を構成する各ブロックの処理の流れを矢印と直交する鉛直方向に表すと共に、ブロック間の情報の流れを矢印方向に表す。図７Ｃに示す動作は、図７Ａに示す動作の後に行われる。なお、図７Ｃにおいて、図７Ｂと同様の部分には同一符号を付し、適宜説明を省略する。図７Ｃにおいても、超音波画像収集部については、図示が省略されている。
【００７９】
ＳＱ１〜ＳＱ１２までのシーケンスは、図７Ａ及び図７Ｂと同様である。
【００８０】
ＳＱ１２の後、制御部１０８から超音波画像を保存するための制御信号を受けた画像保存処理部１０３は、制御信号に基づいて、表示処理部１０２に対し、表示部６の超音波画像表示領域Ｇ２に表示された複数の超音波画像うち所望の超音波画像の画像データの取得要求を行って、所望の超音波画像の画像データを取得する（ＳＱ１３）。図７Ｃの場合、重畳表示された画像は、超音波画像と計測結果とアノテーションとを含む。画像保存処理部１０３は、ＳＱ１３において取得された画像（画像データ）を、データベース部４に保存する（ＳＱ１４）。
【００８１】
ここで、ユーザが、医用レポートを表示部６に表示させるために、レポート表示指示部５６により指示するものとする。レポート表示指示部５６により医用レポートの表示が指示される（ＳＱ１６）と、制御部１０８は、レポート表示指示部５６から操作内容に対応した操作情報を受け、操作情報に基づいて入力判断処理を行い（ＳＱ１７）、ユーザから医用レポートの表示が指示されたことを判別する。そして、制御部１０８は、医用レポートを表示するための制御信号をレポート表示処理部１０６に対して出力する。
【００８２】
レポート表示処理部１０６は、ＳＱ１３において取得された超音波画像以外の所見データ等のデータを医用レポートの所定領域内に配置することにより医用レポートを作成する（ＳＱ２１）。ＳＱ２１において作成された医用レポートは、たとえば所定のフォーマットの医用レポートに所見データ等が配置されたものであり、ＳＱ１３において取得された画像が配置されない。
【００８３】
続いて、制御部１０８は、医用レポートを表示するための制御信号をレポート表示処理部１０６に対して出力する。制御部１０８から医用レポートを表示するための制御信号を受けたレポート表示処理部１０６は、ＳＱ１５において作成された医用レポートデータを表示処理部１０２に出力し、表示処理部１０２が、医用レポートを表示部６に表示させる（ＳＱ２２）。
【００８４】
ここで、ユーザが、表示部６に表示された医用レポートに超音波画像の貼り付けを指示するために、貼り付け指示部により指示するものとする。貼り付け指示部により超音波画像の貼り付けが指示される（ＳＱ２３）と、制御部１０８は、貼り付け指示部から操作内容に対応した操作情報を受け、操作情報に基づいて入力判断処理を行い（ＳＱ２４）、ユーザから超音波画像の貼り付けが指示されたことを判別する。そして、制御部１０８は、超音波画像を医用レポートに貼り付けるための制御信号をレポート表示処理部１０６に対して出力する。
【００８５】
レポート表示処理部１０６は、ＳＱ１３において取得された画像を医用レポートの画像配置領域内の配置位置に配置する（すなわち、医用レポートを作成する）（ＳＱ２５）。ここで、ＳＱ１３において取得された画像は、第１実施形態と同様に、画像保存指定部５５による指定の順序に対応した画像配置領域内の配置位置に配置されるが、後述する実施形態又はその変形例により決定された画像配置領域内の配置位置に配置されてもよい。画像保存処理部１０３から画像（画像データ）を受けた場合、レポート表示処理部１０６は、たとえば、配置位置に対応した格納領域に画像（画像データ）を格納することにより、配置位置に画像を関連付けた状態で画像の配置を行う。画像保存処理部１０３から画像のリンク情報を受けた場合、レポート表示処理部１０６は、リンク情報に基づいて配置位置に画像をリンク付けることにより、画像の配置を行う。この結果、ＳＱ２５では、図５の医用レポート表示領域Ｇ３に表示された各領域内のデータを含む医用レポートデータが作成される。
【００８６】
続いて、制御部１０８は、医用レポートを表示するための制御信号をレポート表示処理部１０６に対して出力する。制御部１０８から医用レポートを表示するための制御信号を受けたレポート表示処理部１０６は、ＳＱ２５において超音波画像が貼り付けられた医用レポートデータを表示処理部１０２に出力し、表示処理部１０２が、医用レポートを表示部６に表示させる（ＳＱ２６）。
【００８７】
以上のように、第１実施形態の第１変形例では、所望の超音波画像の貼り付け指示を受け付ける貼り付け指示部が設けられる。これにより、ユーザが、超音波画像の保存は行うが医用レポートには貼り付けたくない場合にも適用可能できるようになる。また、ユーザが、超音波画像を保存した後に所望の超音波画像を医用レポートに貼り付けたい場合に、医用レポートへの超音波画像の貼り付け作業を簡略化することが可能になる。
【００８８】
［第１実施形態の第２変形例］
第１実施形態では、画像保存指定部５５により超音波画像の保存及び医用レポートへの配置を指定するものとして説明したが、第１実施形態は、これに限定されるものではない。第１実施形態の第２変形例では、指定部としての画像保存指定部５５に代えて、超音波画像の保存を指定する第１指定部と、超音波画像の保存及び配置を指定する第２指定部とが設けられる。
【００８９】
第１実施形態の第２変形例における医用画像診断装置が第１実施形態における医用画像診断装置１と異なる主な点は、操作部と、操作部における操作内容を判断する医用画像処理部の制御部である。以下、これらの点を中心に説明する。
【００９０】
図８に、第１実施形態の第２変形例における操作部を機能ブロック化した構成例を示す。図８において、図２と同様の部分には同一符号を付し、適宜説明を省略する。図１に示す医用画像診断装置１において、操作部５に代えて、図８に示す操作部５ａが設けられる。
【００９１】
操作部５ａは、フリーズ指示部５１と、計測指示部５２と、アノテーション入力部５３と、ボディーマーク入力部５４と、保存指定部５５１と、貼り付け指定部５５２と、レポート表示指示部５６とを含んで構成されている。保存指定部５５１、及び貼り付け指定部５５２のそれぞれは、ポインティングデバイス、操作スイッチ、操作ボタン、操作つまみ、又はキーボードのいずれかにより構成される。
【００９２】
保存指定部５５１及び貼り付け指定部５５２のそれぞれは、超音波プローブ２において受信されたエコー信号に基づいて生成された超音波画像のうち、データベース部４に保存される超音波画像を１つずつユーザが指定するために用いられる。保存指定部５５１及び貼り付け指定部５５２のそれぞれにより指定された超音波画像は、アノテーションやボディーマークなどの関連する診断情報と共にデータベース部４に保存される。また、貼り付け指定部５５２により指定された超音波画像は、アノテーションやボディーマークなどの関連する診断情報と共に、医用レポートに設けられた画像配置領域内の配置位置に配置される。
【００９３】
第１実施形態の第２変形例における医用画像診断装置を構成する医用画像処理部の制御部は、保存指定部５５１の操作情報を受け、操作情報に基づいて画像保存処理部を制御する。また、制御部は、貼り付け指定部５５２の操作情報を受け、第１実施形態と同様に、操作情報に基づいて画像保存処理部及びレポート表示処理部を制御する。具体的には、保存指定部５５１により所望の超音波画像の指定が制御部によって受け付けられたとき、制御部は、画像保存処理部を制御して、所望の超音波画像をデータベース部４に保存する。
【００９４】
一方、貼り付け指定部５５２により所望の超音波画像の指定が制御部によって受け付けられたとき、レポート表示処理部（レポート作成部）が、画像配置領域内に貼り付け指定部５５２によって指定された所望の超音波画像を配置することにより医用レポートを作成すると共に、画像保存処理部を制御して、所望の超音波画像をデータベース部４に保存する。
【００９５】
たとえば、検査部位における異常発見と正常確認の両方を目的とした健康診断においては、超音波画像の保存は必要である一方、医用レポートへの貼り付けが不要なケースが多くなることが考えられる。第１実施形態の第２変形例によれば、データベース部への保存を指定する第１指定部と、データベース部への保存と医用レポートへの貼り付けを指定する第２指定部とを設けるようにしたので、ユーザが２種類の指定部を使い分けることにより、ユーザの作業の効率化に寄与することができるようになる。
【００９６】
［第２実施形態］
第１実施形態又はその変形例では、保存を指定した順序で超音波画像が順番に医用レポートに配置されるものとして説明したが、第２実施形態では、指定された超音波画像のうち予め決められた条件に合致した超音波画像が医用レポートに配置される。
【００９７】
第２実施形態における医用画像診断装置が第１実施形態における医用画像診断装置１と異なる主な点は、画像保存処理部と、レポート表示処理部である。以下、これらの点を中心に説明する。
【００９８】
第２実施形態における画像保存処理部は、画像保存指定部５５により指定された超音波画像をデータベース部４に保存する処理を行う。第２実施形態におけるレポート表示処理部は、画像保存処理部によってデータベース部に保存される超音波画像のうち予め設定された条件に合致した超音波画像を医用レポートに配置することにより医用レポートを作成する。
【００９９】
図９に、第２実施形態におけるレポート表示処理部の構成例のブロック図を示す。図１に示す医用画像診断装置１において、レポート表示処理部１０６に代えて、図９に示すレポート表示処理部１０６ｂが設けられる。
【０１００】
レポート表示処理部１０６ｂは、配置処理部１０６１と、レポート作成部１０６２ｂを含んで構成されている。レポート作成部１０６２ｂは、条件設定部１１０ｂと、判定部１１１ｂとを含んで構成されている。判定部１１１ｂは、判定部の一例に相当する。
【０１０１】
条件設定部１１０ｂには、画像保存指定部５５により指定された超音波画像を医用レポートの画像配置領域内に配置するための条件が予め設定されている。この条件は、たとえば、超音波画像が予め登録されたオブジェクトを含むことである。ここで、オブジェクトは、医用画像に対して付与された画像情報である。この画像情報は、ボディーマーク、アノテーション、及び計測ラベルの少なくとも１つを含むことが可能である。ユーザは、操作部５を介して、条件設定部１１０ｂに対し、超音波画像を医用レポートの画像配置領域内に配置するための条件を追加、削除、又は変更することができる。
【０１０２】
図１０に、第２実施形態における条件設定部１１０ｂに設定される条件の一例を示す。条件設定部１１０ｂには、たとえば、検索対象のオブジェクトを識別するためのオブジェクト識別子（Ｉｄｅｎｔｉｆｉｅｒ：ＩＤ）に対応付けられたオブジェクトの画像データ（図１０では、ビットマップ形式の画像データ）が予め設定されている。たとえば、心室の拡張期を示すアノテーションには、オブジェクトＩＤとして「Ａｎｎｏ＿Ｄｉａｓｔｏｌｅ」が割り当てられ、当該オブジェクトの画像データのファイル名が「ａａａ．ｂｍｐ」である。従って、超音波画像に心室の拡張期を示すアノテーションが付加されている場合には、当該超音波画像にファイル名が「ａａａ．ｂｍｐ」の画像データが含まされる。そのため、超音波画像の画像データに対しファイル名「ａａａ．ｂｍｐ」の画像データを含むか否かを検出することにより、心室の拡張期を示すアノテーションが当該超音波画像に付加されているか否かを検出することが可能である。また、例えば、左室の断面を示すボディーマークには、オブジェクトＩＤとして「ＢｏｄｙＭａｒｋ＿ＬＶ４ＣＨ」が割り当てられ、当該オブジェクトの画像データのファイル名が「ｂｂｂ．ｂｍｐ」である。従って、超音波画像に左室の断面を示すボディーマークが付加されている場合には、当該超音波画像にファイル名が「ｂｂｂ．ｂｍｐ」の画像データが含まされる。そのため、超音波画像の画像データに対しファイル名「ｂｂｂ．ｂｍｐ」の画像データを含むか否かを検出することにより、左室の断面を示すボディーマークが当該超音波画像に付加されているか否かを検出することが可能である。
【０１０３】
判定部１１１ｂは、画像保存指定部５５により指定された所望の超音波画像、画像保存指定部５５により指定された所望の超音波画像に上記のオブジェクトが付加された画像、又は画像保存指定部５５により指定された所望の超音波画像に上記のオブジェクトが重畳された画像に対し、次のような判定処理を行う。以下では、画像保存指定部５５により指定された所望の超音波画像、画像保存指定部５５により指定された所望の超音波画像に上記のオブジェクトが付加された画像、又は画像保存指定部５５により指定された所望の超音波画像に上記のオブジェクトが重畳された画像を、適宜、判定対象画像と称する。
【０１０４】
画像保存指定部５５による所望の超音波画像の指定が制御部によって受け付けられたとき、判定部１１１ｂは、判定対象画像が条件設定部１１０ｂに予め設定された条件に合致するか否かを判定する。判定部１１１ｂにより、判定対象画像が条件設定部１１０ｂに予め設定された条件に合致すると判定されたとき、レポート表示処理部１０６ｂは、判定対象画像を医用レポートの画像配置領域内に配置する。
【０１０５】
具体的には、判定対象画像は、データベース部４に保存される。そこで、判定部１１１ｂは、データベース部４に保存された判定対象画像内を検索し、たとえば、公知のパターマッチング技術により、図１０に示すファイル名により特定されるオブジェクトの画像データを含むか否かを判定する。なお、オブジェクトが判定対象画像内の予め決められた座標位置に配置される場合、判定部１１１ｂは、この座標位置により特定された画像が図１０に示すオブジェクトがあるか否かを判定することができる。
【０１０６】
第２実施形態における医用画像診断装置の構成は、上記の点を除いて、第１実施形態における医用画像診断装置の構成とほぼ同様である。そのため、以下では、説明の便宜上、図１の符号を適宜用いて説明する。
【０１０７】
図１１に、第２実施形態における医用画像処理部による医用レポートへの超音波画像の配置処理例のフロー図を示す。ここでは、図６と同様に、医用レポート作成画面が表示部６に表示され、その超音波画像表示領域内に、ユーザがフリーズ指示部により静止させた複数の超音波画像（必要に応じて診断情報を含む）が既に表示された状態であるものとする。
【０１０８】
まず、医用画像処理部は、ユーザによって画像保存指定部５５により保存対象の超音波画像が指定されるまで待機する（ステップＳ１１：Ｎ）。画像保存指定部５５により超音波画像が指定されたとき（ステップＳ１１：Ｙ）、医用画像処理部は、指定された超音波画像とこれに重畳して表示されるアノテーションやボディーマークなどの図形や計測結果とを含む画像を取得する（ステップＳ１２）。
【０１０９】
次に、医用画像処理部は、ステップＳ１２において取得された超音波画像などをデータベース部４に保存する（ステップＳ１３）。具体的には、画像保存指定部５５は、ステップＳ１２において取得された超音波画像とこれに重畳して表示されるアノテーションやボディーマークなどの図形や計測結果とを含む画像をデータベース部４に保存する。
【０１１０】
次に、医用画像処理部は、ステップＳ１３においてデータベース部４に保存された超音波画像について、予め設定された１又は複数の条件のうち最初の条件を参照する（ステップＳ１４）。具体的には、レポート作成部１０６２ｂにおいて、判定部１１１ｂが条件設定部１１０ｂに予め設定された１又は複数の条件のうち最初の条件を参照する。
【０１１１】
次に、医用画像処理部１０は、ステップＳ１３においてデータベース部４に保存された超音波画像について、ステップＳ１４において参照した条件に合致するか否かを判定する（ステップＳ１５）。具体的には、判定部１１１ｂは、上記の判定対象画像内を検索して、条件設定部１１０ｂにおいて予め設定されたオブジェクがあるか否かを判定する。
【０１１２】
判定対象画像内に予め設定されたオブジェクトがあると判定されたとき、予め設定された条件に合致したと判断され（ステップＳ１５：Ｙ）、医用画像処理部は、医用レポートの画像配置領域内の配置位置に判定対象画像を配置する（ステップＳ１６）。具体的には、医用画像処理部は、ステップＳ１５において条件に合致した順序に対応した医用レポートの画像配置領域内の配置位置に、判定対象画像を配置する。たとえば、最初に条件に合致した判定対象画像が、図５に示す画像配置領域Ｇ３４内の配置位置Ｇ３４１に配置され、２番目に条件に合致した判定対象画像が、図５に示す画像配置領域Ｇ３４内の配置位置Ｇ３４２に配置される。同様に、３番目に条件に合致した判定対象画像が、図５に示す画像配置領域Ｇ３４内の配置位置Ｇ３４３に配置され、４番目に条件に合致した判定対象画像が、図５に示す画像配置領域Ｇ３４内の配置位置Ｇ３４４に配置される。
【０１１３】
判定対象画像内に予め設定されたオブジェクトがないと判断されたとき（ステップＳ１５：Ｎ）、又はステップＳ１６に続いて、医用画像処理部は、条件設定部１１０ｂに次の条件が設定されているか否かを判別する（ステップＳ１７）。次の条件があると判別されたとき（ステップＳ１７：Ｙ）、医用画像処理部は、ステップＳ１４に移行し、次の条件について処理を継続する。ステップＳ１７において次の条件がないと判別されたとき（ステップＳ１７：Ｎ）、医用画像処理部は、一連の処理を終了する（エンド）。
【０１１４】
このように、画像保存指定部５５により指定された超音波画像（判定対象画像）のそれぞれが、予め設定された条件の少なくとも１つに合致したことを条件に医用レポートの画像配置領域内の配置位置に順番に配置される。なお、条件に合致しない判定対象画像については医用レポートに配置されないため、データベース部４に保存される判定対象画像のうち医用レポートへの貼り付け対象から除外する指定が可能な医用画像診断装置を提供することができる。
【０１１５】
なお、第２実施形態において、判定部１１１ｂは、予め設定されたオブジェクトがあるか否かを判定するために判定対象画像内を画像検索するものとして説明したが、これに限定されるものではない。たとえば、超音波画像内にアノテーションやボディーマークなどのオブジェクトを入力する際に付与した情報（付帯情報）に基づいて、判定部１１１ｂが、判定対象画像内に所望のオブジェクトがあるか否かを判定するようにしてもよい。
【０１１６】
以上のように、第２実施形態における医用画像診断装置は、画像保存指定部５５によりユーザが指定した超音波画像（判定対象画像）について、予め設定された条件に合致したことを条件に、医用レポートの画像配置領域内の配置位置に順番に配置することにより医用レポートを作成する。すなわち、超音波画像内の特徴又はその付帯情報に基づいて、医用レポートへの貼り付けが可能となる。そのため、ユーザは超音波画像を手動で貼り付けるという作業から解放され、医用レポートへの超音波画像の貼り付け作業の簡略化により、検査時間の短縮化が可能となる。
【０１１７】
たとえば、規模の大きな医療機関などで検査する順序が予め決まっている場合に、読影する医師などは、長い時間をかけることなく超音波画像の貼り付け作業を進め、効率良く医用レポートを作成することができるようになる。
【０１１８】
［第３実施形態］
第１実施形態又はその変形例や第２実施形態では、超音波画像の指定の順序又は予め設定された条件に合致した順序に対応した配置位置に超音波画像を配置するものとして説明した。これに対し、第３実施形態では、予め設定された条件に対応付けられた画像配置領域内の配置位置に、当該条件に合致した超音波画像を配置する。
【０１１９】
第３実施形態における医用画像診断装置が第２実施形態における医用画像診断装置と異なる主な点は、レポート表示処理部の処理内容である。以下、この点を中心に説明する。
【０１２０】
図１２に、第３実施形態における条件設定部に設定される条件の一例を示す。第３実施形態における条件設定部には、たとえば、医用レポートの画像配置領域内の配置位置と、検索対象のオブジェクトを識別するためのオブジェクトＩＤと、そのオブジェクトの画像データとが予め設定されている。たとえば、オブジェクトＩＤが「Ａｎｎｏ＿Ｄｉａｓｔｏｌｅ」の画像データのファイル名が「ａａａ．ｂｍｐ」であり、配置位置は「１」である。また、たとえば、オブジェクトＩＤが「ＢｏｄｙＭａｒｋ＿ＬＶ４ＣＨ」の画像データのファイル名が「ｂｂｂ．ｂｍｐ」であり、配置位置は「２」である。
【０１２１】
図１３に、第３実施形態における医用レポート作成画面の医用レポート表示領域を模式的に示す。図１３において、図５と同様の部分には同一符号を付し、適宜説明を省略する。
【０１２２】
画像配置領域Ｇ３４は、第１実施形態と同様に、配置位置Ｇ３４１〜Ｇ３４４が設けられている。第３実施形態では、配置位置Ｇ３４１〜Ｇ３４４のそれぞれには、レイアウト位置として「１」〜「４」が割り当てられている。
【０１２３】
第３実施形態における判定部は、第２実施形態と同様に、判定対象画像が、条件設定部に予め設定された条件に合致するか否かを判定する。判定部により、判定対象画像が条件設定部に予め設定された条件に合致すると判定されたとき、レポート表示処理部は、当該条件に対応付けられた医用レポートの画像配置領域内の配置位置に、判定対象画像を配置する。具体的には、レポート作成部が備える配置処理部が、判定部の判定結果を受けて条件設定部に設定された条件に対応付けられた配置位置を参照して、当該条件に合致したと判定された超音波画像の配置位置を決定する。たとえば、判定部が、画像保存指定部５５により指定された超音波画像について、「ａａａ．ｂｍｐ」と同じオブジェクトがあると判定したとき、配置処理部は、判定部の判定結果を受けて条件設定部に設定された条件に対応付けられた配置位置を参照して、当該超音波画像の配置位置を、医用レポートの画像配置領域内のレイアウト位置が「１」である配置位置Ｇ３４１に決定する。また、判定部が、画像保存指定部５５により指定された超音波画像について、「ｂｂｂ．ｂｍｐ」と同じオブジェクトがあると判定したとき、配置処理部は、判定部の判定結果を受けて条件設定部に設定された条件に対応付けられた配置位置を参照して、当該超音波画像の配置位置を、医用レポートの画像配置領域内のレイアウト位置が「２」である配置位置Ｇ３４２に決定する。そして、レポート作成部が、配置処理部によって決定された配置位置に当該超音波画像を配置することにより、医用レポートを作成する。
【０１２４】
第３実施形態における医用画像診断装置の構成は、上記の点を除いて、第２実施形態における医用画像診断装置の構成とほぼ同様である。そのため、以下では、説明の便宜上、図１の符号を用いて説明する。
【０１２５】
図１４に、第３実施形態における医用画像処理部による医用レポートへの超音波画像の配置処理例のフロー図を示す。ここでは、図６と同様に、医用レポート作成画面が表示部６に表示され、その超音波画像表示領域内に、ユーザがフリーズ指示部により静止させた複数の超音波画像（必要に応じて診断情報を含む）が既に表示された状態であるものとする。
【０１２６】
まず、医用画像処理部は、ユーザによって画像保存指定部５５により保存対象の超音波画像が指定されるまで待機する（ステップＳ２１：Ｎ）。画像保存指定部５５により超音波画像が指定されたとき（ステップＳ２１：Ｙ）、医用画像処理部は、指定された超音波画像とこれに重畳して表示されるアノテーションやボディーマークなどの図形や計測結果とを含む画像を取得する（ステップＳ２２）。
【０１２７】
次に、医用画像処理部は、ステップＳ２２において取得された超音波画像などをデータベース部４に保存する（ステップＳ２３）。次に、医用画像処理部は、ステップＳ２３においてデータベース部４に保存された超音波画像について、予め設定された１又は複数の条件のうち最初の条件を参照する（ステップＳ２４）。
【０１２８】
次に、医用画像処理部は、ステップＳ２３においてデータベース部４に保存された超音波画像について、ステップＳ１４において参照した条件に合致するか否かを判定する（ステップＳ２５）。
【０１２９】
次に、医用画像処理部は、ステップＳ２５において合致した条件に対応した配置位置に、既に別の超音波画像が配置されているか否かを判別する（ステップＳ２６）。ステップＳ２６は、たとえば、レイアウト表示処理部のレポート作成部により行われる。
【０１３０】
既に別の超音波画像が配置されていると判別されたとき（ステップＳ２６：Ｙ）、レポート作成部は、別の超音波画像に置換して、ステップＳ２５において条件に合致したと判定された新たな超音波画像を配置する（ステップＳ２７）。一方、既に別の超音波画像が配置されていると判別されなかったとき（ステップＳ２６：Ｎ）、レポート作成部は、ステップＳ２５において条件に合致したと判定された新たな超音波画像を、当該条件に対応付けられた配置位置に配置する（ステップＳ２８）。
【０１３１】
条件に合致したと判別されなかったとき（ステップＳ２５：Ｎ）、ステップＳ２７又はステップＳ２８に続いて、医用画像処理部は、条件設定部に次の条件が設定されているか否かを判別する（ステップＳ２９）。次の条件があると判別されたとき（ステップＳ２９：Ｙ）、医用画像処理部は、ステップＳ２４に移行し、次の条件について処理を継続する。ステップＳ２９において次の条件がないと判別されたとき（ステップＳ２９：Ｎ）、医用画像処理部は、一連の処理を終了する（エンド）。
【０１３２】
このように、画像保存指定部５５により指定された超音波画像は、予め設定された条件に合致したとき、この条件に対応付けられた医用レポートの画像配置領域内の配置位置に配置される。このとき、新たな超音波画像の配置位置に既に別の超音波画像が配置されている場合に、画像保存指定部５５による新たな超音波画像の指定が制御部によって受け付けられたとき、レポート作成部は、別の超音波画像に置き換えて新たな超音波画像を配置する。
【０１３３】
以上のように、第３実施形態における医用画像診断装置は、画像保存指定部５５によりユーザが指定した超音波画像について、予め設定された条件に合致したとき、医用レポートの画像配置領域内で上記条件に対応付けられた配置位置に配置することにより医用レポートを作成する。そのため、第３実施形態では、保存された順番に関係なく医用レポートに貼り付けられるが、配置位置ごとに超音波画像の種別が予め決められている場合に、医用レポートへの超音波画像の貼り付け作業を簡略化することができる。
【０１３４】
［第３実施形態の第１変形例］
第３実施形態では、条件に合致した超音波画像の配置位置に既に別の超音波画像が配置されているとき、そのまま置換して配置するものとして説明したが、これに限定されるものではない。第３実施形態の第１変形例では、条件に合致した超音波画像の配置位置に既に別の超音波画像が配置されているとき、その旨をユーザに報知する。
【０１３５】
第３実施形態の第１変形例における医用画像診断装置が第３実施形態における医用画像診断装置と異なる主な点は、レポート表示処理部の処理内容である。以下、この点を中心に説明する。
【０１３６】
図１５に、第３実施形態の第１変形例におけるレポート表示処理部の構成例のブロック図を示す。図１に示す医用画像診断装置１において、レポート表示処理部１０６に代えて、図１５に示すレポート表示処理部１０６ｃが設けられる。図１５において、図９と同様の部分には同一符号を付し、適宜説明を省略する。
【０１３７】
レポート表示処理部１０６ｃは、配置処理部１０６１ｃと、レポート作成部１０６２ｃを含んで構成されている。レポート作成部１０６２ｃは、条件設定部１１０ｃと、判定部１１１ｃと、報知部１１２ｃとを含んで構成されている。報知部１１２ｃは、この実施形態に係る「報知部」の一例に相当する。
【０１３８】
条件設定部１１０ｃには、画像保存指定部５５により指定された超音波画像を医用レポートの画像配置領域内に配置するための条件が予め設定されている。また、ユーザは、操作部５を介して、条件設定部１１０ｃに対し、超音波画像を医用レポートの画像配置領域内に配置するための条件を追加、削除、又は変更することができる。画像保存指定部５５による所望の超音波画像の指定が制御部によって受け付けられたとき、判定部１１１ｃは、画像保存指定部５５により指定された超音波画像が、条件設定部１１０ｃに予め設定された条件に合致するか否かを判定する。判定部１１１ｃにより、画像保存指定部５５により指定された超音波画像が条件設定部１１０ｃに予め設定された条件に合致すると判定されたとき、レポート表示処理部１０６ｃは、超音波画像を医用レポートの画像配置領域内で指定された配置位置に配置する。
【０１３９】
報知部１１２ｃは、判定部１１１ｃによって予め設定された条件に合致したと判定された新たな超音波画像の配置位置に既に別の超音波画像が配置されているとき、たとえば、ユーザに報知する。報知部１１２ｃによる報知は、たとえば、別の超音波画像が配置されている旨を表示部６に表示させたり、音を出力させたりすることにより行われる。
【０１４０】
配置処理部１０６１ｃは、判定部１１１ｃの判定結果を受けて、条件設定部１１０ｃに設定された条件に対応付けられた配置位置を参照して、当該条件に合致したと判定された超音波画像の配置位置を決定する。
【０１４１】
第３実施形態の第１変形例では、条件に合致した超音波画像の配置位置が定められるため、既に別の超音波画像が配置されていても、新たな超音波画像が置換して配置される。このとき、報知部１１２ｃによりユーザに報知することにより、過去の超音波画像の置換をユーザに認識させることができる。なお、報知部１１２ｃによる報知の後、ユーザによる承認が得られたことを条件に、新たな超音波画像が置換して配置されるようにしてもよい。
【０１４２】
図１６に、第３実施形態の第１変形例における医用画像処理部による医用レポートへの超音波画像の配置処理例のフロー図を示す。図１６において、図１４と同様の部分には同一符号を付し、適宜説明を省略する。
【０１４３】
図１６に示すフローが図１４に示すフローと異なる点は、ステップＳ３１が追加された点である。具体的には、ステップＳ３１が、ステップＳ２６とステップＳ２７との間に追加されている。すなわち、既に別の超音波画像が配置されていると判別されたとき（ステップＳ２６：Ｙ）、報知部１１２ｃは、その旨をユーザに報知する（ステップＳ３１）。その後、レポート作成部１０６２ｃは、別の超音波画像に置換して、ステップＳ２５において条件に合致したと判定された新たな超音波画像に置換する（ステップＳ２７）。
【０１４４】
以上のように、第３実施形態の第１変形例では、予め設定された条件に合致した超音波画像が医用レポートに配置される際に既に別の超音波画像が配置されているとき、報知部１１２ｃによりユーザに報知するようにしている。これにより、ユーザが医用レポートに配置した超音波画像が、ユーザが気付かない間に別の超音波画像に置き換えられるといった事態を回避することができる。
【０１４５】
［第３実施形態の第２変形例］
第３実施形態又はその第１変形例では、既に配置された超音波画像を新たな超音波画像に置換するものとして説明したが、これに限定されるものではない。第３実施形態の第２変形例では、既に配置された超音波画像をリンク付けした後、当該配置位置に新たな超音波画像を配置する。
【０１４６】
第３実施形態の第２変形例における医用画像診断装置が第３実施形態における医用画像診断装置と異なる主な点は、レポート表示処理部の処理内容である。以下、この点を中心に説明する。
【０１４７】
図１７に、第３実施形態の第２変形例における医用画像処理部による医用レポートへの超音波画像の配置処理例のフロー図を示す。図１７において、図１４と同様の部分には同一符号を付し、適宜説明を省略する。
【０１４８】
図１７に示すフローが図１４に示すフローと異なる点は、ステップＳ２７及びステップＳ２８が削除された点と、ステップＳ４１及びステップＳ４２が追加された点である。
【０１４９】
すなわち、既に別の超音波画像（過去の超音波画像）が配置されていると判別されたとき（ステップＳ２６：Ｙ）、レポート作成部は、別の超音波画像をリンク付けする（ステップＳ４１）。具体的には、レポート作成部は、別の超音波画像を参照するためのアドレス情報を取得し、配置位置においてこの超音波画像がリンクされていることを示すリンク文字列に、アドレス情報をハイパーリンク形式で関連付ける。このとき、ハイパーリンクが設定されたリンク対応範囲の文字列は、色が変更され、且つ、下線が付されて識別表示される。
【０１５０】
既に別の超音波画像が配置されていると判別されなかったとき（ステップＳ２６：Ｎ）、又はステップＳ４１に続いて、レポート作成部は、ステップＳ２５において条件に合致したと判定された新たな超音波画像を、当該配置位置に配置する（ステップＳ４２）。
【０１５１】
条件に合致したと判別されなかったとき（ステップＳ２５：Ｎ）、又はステップＳ２９に続いて、医用画像処理部１０は、条件設定部に次の条件が設定されているか否かを判別する（ステップＳ２９）。次の条件があると判別されたとき（ステップＳ２９：Ｙ）、医用画像処理部は、ステップＳ２４に移行し、次の条件について処理を継続する。ステップＳ２９において次の条件がないと判別されたとき（ステップＳ２９：Ｎ）、医用画像処理部は、一連の処理を終了する（エンド）。
【０１５２】
以上のように、第３実施形態の第２変形例では、予め設定された条件に合致した超音波画像が医用レポートに配置される際に既に別の超音波画像が配置されているとき、別の超音波画像をリンク付けすると共に、新たな超音波画像を当該配置位置に配置する。これにより、リンク付けされた別の超音波画像についても必要に応じて参照可能な医用レポートを作成することができるようになる。
【０１５３】
［第４実施形態］
この実施形態では、配置処理部が、指定された所望の超音波画像（医用画像）の種類に対応した画像配置領域内で配置位置を決定し、レポート作成部が、配置処理部によって決定された配置位置にその超音波画像を配置することにより、医用レポートを作成する。超音波画像の種類は、取得部位（腹部、胸部など）によって定義される。これにより、レポート作成部は、指定された所望の超音波画像がその取得部位に対応した画像配置領域内に配置された医用レポートを作成することが可能になる。
【０１５４】
たとえば、超音波画像の取得部位ごとに、画像配置領域内の配置位置が予め決められる。所定の第１取得部位の超音波画像は、第１取得部位に予め対応付けられた画像配置領域内の配置位置に配置され、所定の第２取得部位の超音波画像は、第２取得部位に予め対応付けられた画像配置領域内の配置位置に配置される。
【０１５５】
また、超音波画像の種類は、各取得部位において、更に超音波画像の取得方向によって定義されてもよい。これにより、レポート作成部は、指定された所望の超音波画像がその取得部位および取得方向に対応した画像配置領域内に配置された医用レポートを作成することが可能になる。
【０１５６】
たとえば、超音波画像の取得部位の取得方向ごとに、画像配置領域内の配置位置が予め決められる。所定の第１取得部位における第１取得方向の超音波画像は、第１取得部位における第１取得方向に予め対応付けられた画像配置領域内の配置位置に配置され、第１取得部位における第２取得方向の超音波画像は、第１取得部位における第２取得方向に予め対応付けられた画像配置領域内の配置位置に配置される。同様に、所定の第２取得部位における第１取得方向の超音波画像は、第２取得部位における第１取得方向に予め対応付けられた画像配置領域内の配置位置に配置され、第２取得部位における第３取得方向の超音波画像は、第２取得部位における第３取得方向に予め対応付けられた画像配置領域内の配置位置に配置される。
【０１５７】
これにより、取得部位やその取得部位の取得方向ごとに、医用画像が画像配置領域内で予め決められた配置位置に配置された医用レポートの作成が容易になる。従って、所定の取得部位やその取得部位の取得方向ごとに医用画像を容易に貼り付けることが可能になり、エビデンスとして有用な医用レポートを容易に作成することが可能になる。
【０１５８】
なお、所望の超音波画像の種類に対応した画像配置領域内の配置位置において、上記の実施形態のように、超音波指定の順序又は予め設定された条件に合致した順序で超音波画像を配置するようにしてもよい。
【０１５９】
［その他の変形例］
配置位置に既に別の超音波画像が配置されているとき、別の超音波画像のサイズを縮小することにより、限られた画像配置領域内で、より多くの超音波画像の配置が可能な医用レポートを作成するようにしてもよい。
【０１６０】
また、配置位置に既に別の超音波画像が配置されているとき、別の超音波画像をリンク付けしたリンクリストを作成し、当該配置位置に関連付けて表示させることにより、限られた画像配置領域内で、より多くの超音波画像の配置が可能な医用レポートを作成するようにしてもよい。
【０１６１】
なお、第１実施形態〜第４実施形態又はこれらの変形例において説明した構成を任意に組み合わせることが可能である。
【０１６２】
本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれるものである。
【符号の説明】
【０１６３】
１  医用画像診断装置
２  超音波プローブ
３  超音波画像生成部
４  データベース部
５、５ａ  操作部
６  表示部
１０  医用画像処理部
３１  送信部
３２  受信部
３３  信号処理部
３４  画像生成部
５１  フリーズ指示部
５２  計測指示部
５３  アノテーション入力部
５４  ボディーマーク入力部
５５  画像保存指定部
５６  レポート表示指示部
１０１  超音波画像収集部
１０２  表示処理部
１０３  画像保存処理部
１０４  図形表示処理部
１０５  計測処理部
１０６、１０６ｂ、１０６ｃ  レポート表示処理部
１０７  プリセット記憶部
１０８  制御部
１１０ｂ、１１０ｃ  条件設定部
１１１ｂ、１１１ｃ  判定部
１１２ｃ  報知部
５５１  保存指定部
５５２  貼り付け指定部
１０６１、１０６１ｃ  配置処理部
１０６２、１０６２ｂ、１０６２ｃ  レポート作成部
【図１】
2015033570.tif 000003
【図２】
2015033570.tif 000004
【図３】
2015033570.tif 000005
【図４】
2015033570.tif 000006
【図５】
2015033570.tif 000007
【図６】
2015033570.tif 000008
【図７Ａ】
2015033570.tif 000009
【図７Ｂ】
2015033570.tif 000010
【図７Ｃ】
2015033570.tif 000011
【図８】
2015033570.tif 000012
【図９】
2015033570.tif 000013
【図１０】
2015033570.tif 000014
【図１１】
2015033570.tif 000015
【図１２】
2015033570.tif 000016
【図１３】
2015033570.tif 000017
【図１４】
2015033570.tif 000018
【図１５】
2015033570.tif 000019
【図１６】
2015033570.tif 000020
【図１７】
2015033570.tif 000021